(57)【要約】【課題】タッチパネル機能を備えた液晶表示装置及び電子装置の提供。【解決手段】画素電極１０を備えた液晶基板１と、対向電極を備えたガラス基板２との間に液晶物質が封入されており、液晶基板１及びガラス基板２の変形に伴ってその静電容量が変化するセンサが複数配置されたセンサアレイ３，４が、液晶基板１及びガラス基板２の周縁部に設けられている。ガラス基板２に物体が接触した場合、センサアレイ３，４のそれぞれにおいて静電容量の変化が最大となるセンサの位置を見出すことにより、前記物体の接触位置を検出する。【選択図】図１
2010267132.tif 000002
【特許請求の範囲】
【請求項１】
画素電極を備えた第１基板と、透光性を有し、対向電極を備えた第２基板との空隙内に液晶物質が封入され、前記第１及び第２基板の間に印加する電圧の高低を制御することにより画像表示を行う液晶表示装置において、
前記第１及び第２基板の相対位置に応じた信号を出力するセンサが前記第１及び第２基板の周縁部に複数配置されており、前記第２基板上の物体の接触位置を各センサが出力する信号に基づいて検出する位置検出手段を備えることを特徴とする液晶表示装置。
【請求項２】
前記センサは、前記第１及び第２基板の空隙内にて基板上の交叉する２辺に沿って配置してあることを特徴とする請求項１に記載の液晶表示装置。
【請求項３】
前記センサは、前記第１基板に固着された第１電極と、該第１電極と対向するように前記第２基板に固着された第２電極と、前記第１及び第２基板の相対位置の変化に伴う前記第１及び第２電極間の静電容量の変化を検知する手段とを備えることを特徴とする請求項１又は請求項２に記載の液晶表示装置。
【請求項４】
請求項１から請求項３の何れか１つに記載の液晶表示装置を備えることを特徴とする電子装置。
【請求項５】
前記電子装置は、携帯型電話機、ディジタルカメラ、携帯型情報端末装置、ノート型コンピュータ、デスクトップ型コンピュータ、テレビジョン受像機、車載ディスプレイ装置、ポータブルＤＶＤプレーヤの何れか１つであることを特徴とする請求項４に記載の電子装置。
【発明の詳細な説明】
【技術分野】
【０００１】
本発明は、タッチパネル機能を備えた液晶表示装置及び電子装置に関する。
【背景技術】
【０００２】
パーソナルコンピュータ、携帯型電話機、携帯型情報端末などの情報機器の普及に伴い、情報機器により情報が表示される液晶ディスプレイの表示画面上を指またはペンなどの物体で指示することにより、新たな情報を入力したり、情報機器に対して種々の指示を与えたりするタッチパネル装置が利用されている（例えば、特許文献１及び２を参照）。
【０００３】
従来のタッチパネル装置は、液晶ディスプレイの表示面上に付加的に配置されるものである。タッチパネル装置は、透過型ガラス、透過型プラスチックなどのシートを対向させて配置し、２枚のシートの間に形成される空隙内に、抵抗センサ、容量性センサなどのセンサを設けた構成をしている。これらのセンサにより、シート表面に物体が接触した場合の電圧の変化等を検出することにより、シート表面上の物体の接触位置を検出する。
【先行技術文献】
【特許文献】
【０００４】
【特許文献１】特開平０７−３０２１６８号公報
【特許文献２】特開平０７−３３４２８９号公報
【発明の概要】
【発明が解決しようとする課題】
【０００５】
しかしながら、従来のタッチパネル装置のように、液晶ディスプレイに対し付加的に配置する構成では、タッチパネル装置を装着しない場合と比較して、光の透過率や反射率、コントラスト比が低下するため、液晶ディスプレイの表示性能が低下するという問題点を有していた。
【０００６】
これに対し、液晶ディスプレイの各画素に光センサを埋め込むことにより光センサマトリクスを構成し、この光センサマトリクスで光量の変化を検出することにより、ディスプレイ表面に対する物体の接触位置を検出する技術が提案されている。
【０００７】
しかしながら、各画素に埋め込んだ光センサ、及び光センサからの電気配線のために、従来のタッチパネル装置と同様に光の透過率などが減少し、ディスプレイとしての表示性能が低下する。また、光センサマトリクスからの信号を解析する外部エンコーダが必要となるため、製造コストを押し上げることになり、しかもタッチパネル装置の構成自体も複雑化する。
【０００８】
また、静電容量を持った物体の接触を検出するために、液晶ディスプレイ表面に容量性センサを埋め込む技術が提案されている。しかしながら、上記と同様、表示面における容量性センサ、及び表示面内部の電気配線のために、光の透過率等が減少し、ディスプレイとしての表示性能が低下する。また、容量性センサを用いた場合、外部の電気的ノイズの影響を受けやすいという問題も有している。
【０００９】
本発明は斯かる事情に鑑みてなされたものであり、液晶表示装置を構成する２枚の基板の周縁部に、基板の相対位置に応じた信号を出力するセンサを複数配置し、これらのセンサが出力する信号に基づいて表示面における物体の接触位置を検出する構成とすることにより、表示性能を低下させることなく、簡易な構成で物体の接触位置を検出することができる液晶表示装置及び電子装置を提供することを目的とする。
【課題を解決するための手段】
【００１０】
本発明に係る液晶表示装置は、画素電極を備えた第１基板と、透光性を有し、対向電極を備えた第２基板との空隙内に液晶物質が封入され、前記第１及び第２基板の間に印加する電圧の高低を制御することにより画像表示を行う液晶表示装置において、前記第１及び第２基板の相対位置に応じた信号を出力するセンサが前記第１及び第２基板の周縁部に複数配置されており、前記第２基板上の物体の接触位置を各センサが出力する信号に基づいて検出する位置検出手段を備えることを特徴とする。
【００１１】
本発明に係る液晶表示装置は、前記センサが、前記第１及び第２基板の空隙内にて基板上の交叉する２辺に沿って配置してあることを特徴とする。
【００１２】
本発明に係る液晶表示装置は、前記センサが、前記第１基板に固着された第１電極と、該第１電極と対向するように前記第２基板に固着された第２電極と、前記第１及び第２基板の相対位置の変化に伴う前記第１及び第２電極間の静電容量の変化を検知する手段とを備えることを特徴とする。
【００１３】
本発明に係る電子装置は、前述した発明の何れか１つに記載の液晶表示装置を備えることを特徴とする。
【００１４】
本発明に係る電子装置は、前記電子装置が、携帯型電話機、ディジタルカメラ、携帯型情報端末装置、ノート型コンピュータ、デスクトップ型コンピュータ、テレビジョン受像機、車載ディスプレイ装置、ポータブルＤＶＤプレーヤの何れか１つであることを特徴とする。
【００１５】
液晶表示装置を構成している２枚の基板（第１及び第２基板）のうち、表示面を構成する基板（第２基板）に人間の指やペンなどの物体が接触した場合、接触位置を中心に基板が撓むため、基板の周縁部において、対向する２枚の基板（第１及び第２基板）の相対位置が変化する。本発明にあっては、この周縁部に２枚の基板の相対位置に応じた信号を出力する複数のセンサを配置しているため、各センサで得られる信号の強度などを観測することによって、表示面のどこで物体の接触が生じたかが検出される。
【００１６】
２枚の基板の相対位置を検出する手法としては既知の手法を用いることができる。たとえば、２枚の基板の相対位置がずれる際の静電容量の変化や磁気変化を検出する電気的な手法、光量の変化を検出する光学的な手法、また、ワイヤー等を用いて２枚の基板の変位を機械的に検出する手法等を用いることができる。
【発明の効果】
【００１７】
本発明による場合は、液晶表示装置の表示面における物体の接触位置を検出するために、センサを基板の周縁部に配置しているため、従来のタッチパネル装置のように液晶表示装置の表示面上に付加的に配置する必要はなく、しかも表示面にセンサを搭載する必要がないため、液晶表示装置としての表示性能を低下させることなく、物体の接触位置を検出することが可能となる。
【図面の簡単な説明】
【００１８】
【図１】本実施の形態に係る液晶表示装置の概略構成を示す模式図である。
【図２】センサアレイの構成を説明する模式図である。
【図３】センサアレイの構成を説明する模式図である。
【図４】物体が接触した場合における液晶基板及びガラス基板の周縁部の状態を説明する図である。
【図５】接触位置の検出手法を説明する説明図である。
【図６】接触位置の検出手法を説明する説明図である。
【図７】センサアレイにより観測される静電容量の変化を示すグラフである。
【図８】本実施の形態に係る液晶表示装置の全体構成を示す回路図である。
【図９】本実施に係る携帯型電話機の外観を示す模式図である。
【図１０】携帯型電話機の機能構成を示すブロック図である。
【発明を実施するための形態】
【００１９】
以下、本発明をその実施の形態を示す図面に基づいて具体的に説明する。
実施の形態１．
本実施の形態では、２枚の基板の相対位置の変化を静電容量の変化として検出する手段を備えた液晶表示装置について説明する。図１は本実施の形態に係る液晶表示装置の概略構成を示す模式図である。本実施の形態に係る液晶表示装置は、各画素がマトリクス状に配置された画素電極１０を備えた液晶基板１（第１基板）と、対向電極を備えたガラス基板２（第２基板）とを備える。液晶基板１及びガラス基板２は矩形状であり、互いに対向するように配置されている。液晶基板１とガラス基板２との間の空隙内には液晶物質が封入され、液晶基板１側の画素電極１０とガラス基板２側の対向電極との間に電圧を印加して液晶物質の透過率又は反射率を制御すると共に、画素電極１０に対して表示すべき画像に対応したデータ電圧を印加することにより、画像表示を行う。
【００２０】
液晶基板１及びガラス基板２の周縁部には、ガラス基板２に物体が接触した際の接触位置を検出するためのセンサアレイ３，４を備える。センサアレイ３，４は、液晶基板１及びガラス基板２の相対位置を自身の設置場所において検出するセンサが複数配列されたものであり、それぞれ液晶表示装置の主走査方向及び副走査方向に前記センサが一次元状に配列されている。
【００２１】
図２はセンサアレイ３の構成を説明する模式図である。図２は図１において白抜き矢符の方向を眺めた液晶表示装置の側面図を示している。このセンサアレイ３は、液晶表示装置の表示面に向かって左端部分に配置されている。センサアレイ３が備える各センサ３０は、液晶基板１側に固着された第１電極３１とガラス基板２側に固着された第２電極３２とを備え、液晶基板１及びガラス基板２の相対位置の変化に伴う第１電極３１及び第２電極３２の間の静電容量の変化を検出する。第１電極３１と第２電極３２との間には、適宜の静電容量を有する誘電体が封入される。
【００２２】
２つの電極間の静電容量の変化を検出する手法としては、公知の手法を用いることができる。たとえば、センサ電極に交流電圧を与え、電極の交流電圧を検波し、得られる直流電流の変化を調べる手法、交流信号としてパルス電圧を与え、容量変化に伴う信号立ち上がりの時間（遅延時間）を測定する手法等を用いることができる。
【００２３】
また、液晶基板１とガラス基板２との間には、両者のギャップを適切に保つためのスペーサ５，５，…が適宜の間隔で設けられている。
【００２４】
図３はセンサアレイ４の構成を説明する模式図である。センサアレイ４は、液晶表示装置の表示面に向かって上端部分に配置されている。このセンサアレイ４が備える各センサ４０の構成は、上述したセンサアレイ３が備えるセンサ３０の構成と同様であり、液晶基板１側に固着された第１電極４１とガラス基板２側に固着された第２電極４２とを備え、液晶基板１及びガラス基板２の相対位置の変化に伴う第１電極４１及び第２電極４２の間の静電容量の変化を検出するものである。第１電極４１と第２電極４２との間には、適宜の静電容量を有する誘電体が封入される。
【００２５】
センサ３０，４０の個数、隣り合うセンサ間の間隔、センサ３０，４０のサイズ（電極の面積）等は、要求される接触位置の検出精度に応じて適宜設計される。センサ３０，４０の数を増やし、センサ間の間隔を狭め、センサ３０，４０のサイズを小さくすることにより、検出精度を高めることができる。
【００２６】
図４は物体が接触した場合における液晶基板１及びガラス基板２の周縁部の状態を説明する図である。図４（ａ）は物体が接触していない場合の周縁部の状態、図４（ｂ）は物体が接触した場合の周縁部の状態を示している。物体が接触していない場合、センサ３０は、第１及び第２電極３１，３２が互いに対向するようにそれぞれ液晶基板１及びガラス基板２に固着されており、液晶基板１及びガラス基板２のギャップはスペーサ５によって適切な値に保持されているため、外的な要因がなければ、第１及び第２電極３１，３２間の静電容量が一定に保たれる。
【００２７】
一方、図４（ｂ）に示すように、ガラス基板２に対し物体が接触した場合、ガラス基板２には物体の接触に伴う外力が働き、その作用がスペーサ５を通じて液晶基板１に働くことになるため、液晶基板１及びガラス基板２の双方が図中の白抜き矢符により示される接触箇所を中心として撓むことになる。液晶基板１及びガラス基板２が円弧状に撓んだとした場合、それぞれの曲率半径が異なるため、各基板に固着した第１及び第２電極３１，３２の相対位置が基板に沿った方向にずれることになる。その結果、第１電極３１と第２電極３２との間の静電容量が元の状態（図４（ａ）の状態）から変化することになる。
【００２８】
センサ４０についてもセンサ３０と同様の構成をしているため、ガラス基板２に物体が接触していない場合には、第１及び第２電極４１，４２間の静電容量が一定に保たれ、ガラス基板２に物体が接触した場合には、第１電極４１と第２電極４２との間の静電容量が変化することになる。
すなわち、ガラス基板２に物体が接触した場合の液晶基板１とガラス基板２との間の相対位置の変化に応じた信号が、センサ３０，４０より出力されることになる。
【００２９】
なお、本実施の形態では、説明の都合上、液晶基板１及びガラス基板２の撓み方を円弧状としたが、必ずしも円弧状に撓む必要はない。液晶基板１及びガラス基板２の材質、厚み、設置位置等が異なれば、必然的に撓み方が両者で異なるため、それらの変化を基板間の相対位置の変化として検出することが可能である。
【００３０】
本実施の形態では、各センサ３０，４０から出力される信号に基づいてガラス基板２に対する物体の接触位置を検出する。図５及び図６は接触位置の検出手法を説明する説明図である。ガラス基板２における物体の接触位置を図５に示した接触点Ａとして以下の説明を行う。接触点Ａは、ガラス基板２の面内において、主走査方向において中央より少しだけ上側、かつ副走査方向において略中央付近の位置に存在する。
【００３１】
物体の接触によりガラス基板２は外力を受けるため、その作用としてガラス基板２及び液晶基板１は接触点Ａを中心に撓むことになる。このとき、センサアレイ３を構成する各センサ３０の位置では、接触点Ａと各センサとの間の距離に応じた影響が現れる。センサアレイ４を構成する各センサ４０についても同様である。
【００３２】
接触点Ａからセンサ３０（センサ４０）までの距離が短い場合には、液晶基板１及びガラス基板２が湾曲した際の曲率半径が短くなるため、そのセンサ３０（センサ４０）における第１及び第２基板３１，３２（４１，４２）のズレが大きくなる。また、接触点Ａからセンサ３０（センサ４０）までの距離が長い場合には、液晶基板１及びガラス基板２が湾曲した際の曲率半径が長くなるため、そのセンサ３０（センサ４０）における第１及び第２基板３１，３２（４１，４２）のズレが小さくなる。
【００３３】
具体例を図５及び図６を用いて説明する。図６は、センサアレイ３を構成するセンサ３０，３０，３０，…から選択した３つのセンサ３０ａ，３０ｂ，３０ｃの位置（図５を参照）における液晶基板１及びガラス基板２のズレ（第１及び第２電極３１，３２のズレ）を示した断面図である。図６（ａ）は接触点Ａ及びセンサ３０ａを通る断面、図６（ｂ）は接触点Ａ及びセンサ３０ｂを通る断面、図６（ｃ）は接触点Ａ及びセンサ３０ｃを通る断面を表している。センサ３０ｂの位置は接触点Ａから最も近く、センサ３０ｃの位置は接触点Ａから最も遠い。各センサ３０ａ，３０ｂ，３０ｃと接触点Ａとの距離Ｌａ，Ｌｂ，Ｌｃの関係は、Ｌｂ＜Ｌａ＜Ｌｃとなる。
【００３４】
物体が接触したことに伴う接触点Ａでの液晶基板１及びガラス基板２の変位量Δは、各センサ３０ａ，３０ｂ，３０ｃで共通であるため、接触点Ａからの距離が最も短いセンサ位置（すなわち、センサ３０ｂの位置）において、液晶基板１及びガラス基板２のズレが最大となる。逆に、接触点Ａからの距離が最も長いセンサ位置（すなわち、センサ３０ｃの位置）において、液晶基板１及びガラス基板２のズレが最小となる。その結果、各センサ３０ａ，３０ｂ，３０ｃにおける静電容量は、接触点Ａからの距離が短い順序で元の状態（非接触状態）からの変化が大きくなる。
【００３５】
図７はセンサアレイ３，４により観測される静電容量の変化を示すグラフである。図７（ａ）は主走査方向にセンサ３０が配置されたセンサアレイ３により観測される静電容量の変化を示している。横軸はセンサアレイ３に配置されたセンサ３０の位置Ｘ、縦軸は静電容量の変化ΔＣを示す。同様に、図７（ｂ）は副走査方向にセンサ４０が配置されたセンサアレイ４により観測される静電容量の変化を示している。横軸はセンサアレイ４に配置されたセンサ４０の位置Ｙ、縦軸は静電容量の変化ΔＣを示す。
【００３６】
上述したように、各センサ３０（又はセンサ４０）における静電容量の変化は、そのセンサ３０（センサ４０）が配置された位置とガラス基板２上の物体の接触位置との間の距離が短いほど大きくなる。言い換えれば、それぞれのセンサアレイ３，４において静電容量の変化が最大となる位置を見つければ、その位置がガラス基板２上の物体の接触位置を示していることになる。図７の例でいうと、主走査方向においてＸｍａｘの位置、副走査方向においてＹｍａｘの位置が、ガラス基板２上の物体の接触位置を示していることになる。すなわち、図５に示した接触点Ａの位置座標を（Ｘｍａｘ，Ｙｍａｘ）として取得することができる。
【００３７】
図８は本実施の形態に係る液晶表示装置の全体構成を示す回路図である。本実施の形態に係る液晶表示装置は、制御回路１０１、画像メモリ１０２、電源回路１０３、ソースドライバ１０４、ゲートドライバ１０５、液晶パネル１０６を備え、例えば、外光の反射によって表示を行う反射型の液晶表示装置である。液晶パネル１０６は、上述した液晶基板１、ガラス基板２、センサアレイ３，４を備える。
図８は一般的なアクティブマトリクス液晶の構成を示したものであるが、本願の液晶表示装置は、アクティブマトリクス液晶に限定されるものではなく、２枚の基板を用いて液晶表示を行う構成であればよい。例えば、ＳＴＮ液晶についても適用可能であり、また、電卓、デジタル式の時計、タイマなどで使用されているような予め定められた数字、文字のみを表示可能なセグメント液晶等についても適用可能である。
【００３８】
制御回路１０１は、入力される同期信号から、メモリ制御信号、電源制御信号、ソースドライバ制御信号、及びゲートドライバ制御信号を生成し、生成した各制御信号を、それぞれ、画像メモリ１０２、電源回路１０３、ソースドライバ１０４、ゲートドライバ１０５へ出力する。
【００３９】
画像メモリ１０２は、入力される表示データを一時的に記憶し、制御回路１０１から入力されたメモリ制御信号に同期して液晶パネル１０６に表示すべき画素データをソースドライバ１０４へ出力する。なお、画像メモリ１０２は制御回路１０１に内蔵され、制御回路１０１にて内部処理されるような構成であってもよいことはいうまでもない。
【００４０】
ここで、入力される同期信号及び表示データは、携帯型電話機、携帯型ゲーム機等に搭載されたＣＰＵ又はＬＣＤコントロールＩＣから出力されるＬＣＤ信号、パーソナルコンピュータ（ＰＣ）のＣＲＴ出力信号をＡ／Ｄ変換した信号、ＰＣ等に搭載されたビデオＲＡＭを制御回路１０１が直接的に制御して取得した信号等に含まれるものである。
【００４１】
電源回路１０３は、制御回路１０１から入力された電源制御信号に同期してソースドライバ１０４用の駆動電圧Ｖｓ、ゲートドライバ１０５用の駆動電圧Ｖｇ、及び液晶パネル１０６の共通電極用の共通電圧Ｖｃｏｍを生成し、それぞれ、ソースドライバ１０４、ゲートドライバ１０５、及び液晶パネル１０６へ出力する。また、電源回路１０３は、液晶パネル１０６を構成するガラス基板２上の物体の接触位置を検出するために、センサアレイ３，４に印加する電圧を生成し、センサアレイ３，４が備える各センサ３０，４０に対して生成した電圧を印加する。
【００４２】
ゲートドライバ１０５は、制御回路１０１から入力されたゲートドライバ制御信号に同期して、図示しないスイッチング素子をオン／オフ制御する走査電圧を出力部に順次出力し、出力された走査電圧を液晶パネル１０６の走査線に印加する機能と、すべてのスイッチング素子をオン制御する電圧を出力部に一斉に出力し、出力された電圧を液晶パネル１０６のすべての走査線に印加する機能とを有する。
【００４３】
ソースドライバ１０４は、制御回路１０１から入力されたソースドライバ制御信号に同期して、画像メモリ１０２から出力された画素データを取り込み、画素データに応じた電圧を液晶パネル１０６のデータ線に印加する機能と、ソースドライバ制御信号と非同期に、外部電源より入力された外部電圧を液晶パネル１０６の全てのデータに印加する機能とを有する。
【００４４】
液晶パネル１０６は、各画素がマトリクス状に配置された画素電極１０を備える液晶基板１と、対向電極（共通電極ともいう）が配置されたガラス基板２との間に液晶物質を封入したものである。画素電極に印加する電圧をオン／オフ制御するスイッチング素子を用いて、オン期間にデータ電圧を画素電極と対向電極との間に印加することにより、このデータ電圧によって決定される液晶物質の光透過率又は光反射率を制御し、画像表示を行う。
【００４５】
また、電源回路１０３は、必要に応じて、センサアレイ３，４が備える各センサ３０，４０に交流電圧を与え、各センサ３０，４０での静電容量の変化を接触位置検出回路１１０にて取得する。接触位置検出回路１１０は、センサアレイ３，４ごとに静電容量の変化が最大となるセンサを特定することにより、ガラス基板２上の物体の接触位置を算出する。センサアレイ３，４ごとに静電容量の変化が最大となるセンサを見出す手法としては既存の手法を用いることができる。
【００４６】
接触位置検出回路１１０は、検出したガラス基板２上の物体の接触位置に係る情報を制御回路１０１へ通知する。制御回路１０１は、接触位置検出回路１１０からの情報を基に適宜の処理を行う。
【００４７】
なお、本実施の形態では、２枚の基板（液晶基板１及びガラス基板２）の相対位置の変化を静電容量の変化として検出する構成について説明したが、２枚の基板の相対位置を検出する手法としては、任意の手法を用いることができる。例えば、２枚の基板の相対位置が変化したときに、磁気的な変化又は光学的な変化（光量の変化）が現れるように構成しておき、これら磁気的な変化又は光学的な変化を磁気センサ又は光学センサで検出する構成とすることも可能である。また、ワイヤー等を用いて機械的（力学的）な変化を検出することで、２枚の基板の相対位置の変化を検出する構成とすることも可能である。
【００４８】
また、本実施の形態では、接触位置検出回路１１０を設けたが、制御回路１０１に接触位置検出回路１１０の機能を持たせる構成としてもよく、低温ポリシリコンタイプの液晶素子であれば、素子自体に接触位置検出回路１１０を組み込むことも可能である。
【００４９】
また、本実施の形態では、液晶パネル１０６の左端側及び上端側に、それぞれセンサ３０，４０を配列させたセンサアレイ３，４を設ける構成としたが、液晶パネル１０６の右端側、下端側に同様のセンサアレイを設ける構成としてもよい。また、左右両端、上下両端にセンサアレイを設ける構成としてもよい。
【００５０】
また、必ずしもセンサアレイ３，４を構成する全てのセンサ３０，４０を使用する必要はなく、ガラス基板２上でアクティブにする接触点の数に合わせて使用するセンサ３０，４０を選択し、使用するセンサ３０，４０の数を増減させる構成としてもよい。
【００５１】
実施の形態２．
本実施の形態では、本発明に係る電子装置の適用例として携帯型電話機について説明する。
【００５２】
図９は本実施に係る携帯型電話機２００の外観を示す模式図である。本実施の形態に係る携帯型電話機２００は、直方体状の筐体２１０の内部に各種回路を納めて構成されており、図９は筐体２１０の最も広い一面を正面にして携帯型電話機２００を示している。この正面の一部は本発明に係る液晶表示装置２０３により構成されている。液晶表示装置２０３の構成は、実施の形態１で説明した液晶表示装置と全く同様であるため、その詳細な説明については省略することとする。液晶表示装置２０３は、携帯型電話機２００を操作するユーザに対して必要な情報を表示すると共に、液晶表示装置２０３の表面をユーザの指が触れた場合、その接触位置を液晶表示装置２０３を構成する２枚の基板の相対位置の変化に基づいて検出する。
【００５３】
図１０は携帯型電話機２００の機能構成を示すブロック図である。本実施の形態に係る携帯型電話機２００は、装置全体の制御を行うＣＰＵ２０１、装置全体を制御するための制御プログラムやユーザのデータを記憶するメモリ２０２、ユーザに対して情報を表示し、ユーザの操作指示を受付ける液晶表示装置２０３、及び携帯電話網、データ通信網等に接続され、外部との通信を行うための通信部２０４を備える。
【００５４】
ＣＰＵ２０１は、液晶表示装置２０３に情報を表示させるためのＬＣＤ信号を生成し、液晶表示装置２０３に送出する。液晶表示装置２０３は、ＣＰＵ２０１から送出されるＬＣＤ信号を基づいて情報の表示を行う。
一方、液晶表示装置２０３は、自身が備える２枚の基板の相対的な位置の変化を検出し、表示面における接触位置の情報としてＣＰＵ２０１へ送出する。ＣＰＵ２０１は、液晶表示装置２０３から接触位置の情報を受付けた場合、接触位置の情報を基にユーザの操作を把握し、ユーザによって入力された情報をメモリ２０２に記憶させる処理、次の画面を表示させるためにＬＣＤ信号を生成する処理、通信部２０４を制御して外部の通信装置と通信を行う処理などの適宜の処理を実行する。
【００５５】
なお、本発明に係る電子装置としては、前述した携帯型電話機の他に、ディジタルカメラ、ＰＤＡなどの携帯型情報端末装置、ノート型コンピュータ、デスクトップ型コンピュータ、テレビジョン受像機、車載ディスプレイ装置、ポータブルＤＶＤプレーヤに適用することができる。また、これらの装置に限らず、例えば、電子辞書、電子計算機、タイマ、携帯型ゲーム機、ＨＤＤ又はフラッシュメモリを備えたメディアプレーヤ、他の電子装置を遠隔操作するためのリモートコントローラ、モニタ付きのデジタルビデオカメラ、パーソナルコンピュータのキーボードなど、ユーザの操作指示を受付ける様々な電子装置に適用することが可能である。
【符号の説明】
【００５６】
１  液晶基板
２  ガラス基板
３  センサアレイ
４  センサアレイ
５  スペーサ
３０，４０  センサ
３１，４１  第１電極
３２，４２  第２電極
【図１】
2010267132.tif 000003
【図２】
2010267132.tif 000004
【図３】
2010267132.tif 000005
【図４】
2010267132.tif 000006
【図５】
2010267132.tif 000007
【図６】
2010267132.tif 000008
【図７】
2010267132.tif 000009
【図８】
2010267132.tif 000010
【図９】
2010267132.tif 000011
【図１０】
2010267132.tif 000012